(57)【要約】【課題】「差分情報」の配信が「映像コンテンツ」とは異なる伝送経路で行われるような「差分伝送方式」において、「差分情報」の取得がしにくい場合に、これを取得しやすくして、ユーザの利便性を向上させることが課題になっていた。【解決手段】実施形態の電子機器は、第２の経路で送信された、第１解像度の映像コンテンツを取得する映像コンテンツ取得部を備える。    また、第１の経路で送信された、前記第１解像度より高画質である第２解像度の映像を生成するための差分情報を取得する差分情報取得部を備える。    また、前記第１の経路で送信された差分情報を取得しにくい場合に、他の経路に切り替えて取得する切り替え取得部と、を備える。【選択図】  図３
2014160933.tif 000002
【特許請求の範囲】
【請求項１】
第２の経路で送信された、第１解像度の映像コンテンツを取得する映像コンテンツ取得部と、
第１の経路で送信された、前記第１解像度より高画質である第２解像度の映像を生成するための差分情報を取得する差分情報取得部と、
前記第１の経路で送信された差分情報を取得しにくい場合に、他の経路に切り替えて取得する切り替え取得部と、を備える電子機器。
【請求項２】
前記他の経路に切り替えて取得される差分情報は、前記第１の経路で取得しにくい差分情報を補間する請求項１に記載の電子機器。
【請求項３】
前記他の経路への切り替えが可能であることが検出された場合に、前記差分情報の取得を前記他の経路に切り替える請求項１または請求項２に記載の電子機器。
【請求項４】
前記他の経路はＩＰ伝送を含む請求項１乃至請求項３のいずれかに記載の電子機器。
【請求項５】
前記第２の経路で送信される映像コンテンツの送信が終了している場合に、前記差分情報の取得処理を終了する請求項１乃至請求項４のいずれかに記載の電子機器。
【請求項６】
前記差分情報の取得処理が終了しない場合は、前記他の経路からの差分情報取得処理を継続する請求項５に記載の電子機器。
【請求項７】
前記第１の経路で取得できなかった差分情報を、前記他の経路から取得する請求項１乃至請求項６のいずれかに記載の電子機器。
【請求項８】
第２の経路で送信された、第１解像度の映像コンテンツを取得するステップと、
第１の経路で送信された、前記第１解像度より高画質である第２解像度の映像を生成するための差分情報を取得するステップと、
前記第１の経路で送信された差分情報を取得しにくい場合に、他の経路に切り替えて取得するステップと、を備え、電子機器を制御する電子機器の制御方法。
【請求項９】
第２の経路で送信された、第１解像度の映像コンテンツを取得するステップと、
第１の経路で送信された、前記第１解像度より高画質である第２解像度の映像を生成するための差分情報を取得するステップと、
前記第１の経路で送信された差分情報を取得しにくい場合に、他の経路に切り替えて取得するステップと、を備え、電子機器を制御する電子機器の制御プログラム。 
【発明の詳細な説明】
【技術分野】
【０００１】
本発明の実施形態は、  電子機器、電子機器の制御方法、電子機器の制御プログラムに関する。
【背景技術】
【０００２】
近年、例えば、「２ｋ１ｋ」と呼ばれる高解像度の映像コンテンツ（第１解像度の映像、または、ＨＤ映像）を表示することが可能な、高解像度映像コンテンツを表示可能なディスプレイを備えた電子機器が普及している。
【０００３】
ここで、「２ｋ１ｋ」とは、いわゆるフルＨＤ相当のサイズを示す表現である。
【０００４】
また、「２ｋ１ｋ」の「Ｋ」はキロを指す。フルＨＤの解像度は水平画素数１９２０×垂直画素数１０８０で、概算で２０００×１０００、すなわち「２ｋ１ｋ」という表現になっている。
【０００５】
また、解像度は、例えば、映像を表現するための縦と横の点（ドット）の数として表現される。
【０００６】
また、近年、例えば、「４ｋ２ｋ」と呼ばれる、「２ｋ１ｋ」よりもさらに高解像度の映像コンテンツ（第２解像度の映像）を表示可能なディスプレイを備えた電子機器が製品化されつつある。
【０００７】
ここで、「４ｋ２ｋ」とは、水平画素数 ４０００×垂直画素数２０００前後の画面解像度を持つ映像フォーマットの総称である。「４ｋ２ｋ」は、例えば、デジタルシネマの標準規格であるＤＣＩで定められている４Ｋ（４０９６×２１６０）や、ＦＨＤ（フルＨＤ：１９２０×１０８０)の４倍の画素数を持つＱＦＨＤ(クアッド・フルＨＤ：３８４０×２１６０等を指す。
【０００８】
このように、「４ｋ２ｋ」は、新しい動画規格として注目されている。
【０００９】
しかし、「４ｋ２ｋ」においては、情報を収納する媒体規格や配信方法が定まっておらず、コンテンツもあまり供給されていないため、一般的にはあまり馴染みがないのが現状である。
【００１０】
このため、例えば、「第１の映像コンテンツ」（第１解像度の映像（例えば、「２ｋ１ｋ」））と、映像差分データ（第１の映像コンテンツより解像度が高い第２の映像コンテンツ（第２解像度の映像（例えば、「４ｋ２ｋ」）と第１の映像コンテンツとの差分情報（「差分情報」））を用い、「第２の映像コンテンツ」（第２解像度の映像（例えば、「４ｋ２ｋ」）を表示する方式が提案されている（差分伝送方式）。
【００１１】
ここでは、例えば、「ＨＤ映像」のような「第１の映像コンテンツ」と、「第１の映像コンテンツ」との「差分情報」を用いて生成された、より高解像度（より高画質）な「４ｋ２ｋ映像」のような「第２の映像コンテンツ」を、「高画質映像コンテンツ」と呼ぶ。
【００１２】
また、例えば、「差分伝送方式」の一つの方式として、「映像コンテンツ」（例えば、ＨＤ映像）の映像信号を第２の経路（例えば、地上波放送等）で伝送し、「差分情報」は第１の経路（例えば、ＢＳ放送等）で伝送する、というように、「映像コンテンツ」と「差分情報」を異なる経路で伝送する方式が検討されている。
【００１３】
このため、この方式においては、「映像コンテンツ」と「差分情報」が異なる経路で伝送されるので、少なくとも、「映像コンテンツ」の再生の際には、「差分情報」が良好に取得されていることが望ましい。
【００１４】
しかし、例えば、「差分情報」が、「映像コンテンツ」とは異なる伝送経路で配信される場合に、「差分情報」を取得しにくい場合は、ユーザは「高画質映像コンテンツ」を視聴しにくくなり、不便であることが問題になっていた。
【００１５】
このため、「差分情報」の配信が「映像コンテンツ」とは異なる伝送経路で行われるような「差分伝送方式」において、「差分情報」の取得がしにくい場合に、これを取得しやすくして、ユーザの利便性を向上させることが課題になっていた。
【先行技術文献】
【特許文献】
【００１６】
【特許文献１】特開２００４−２５４１２３号公報
【発明の概要】
【発明が解決しようとする課題】
【００１７】
「差分情報」の配信が「映像コンテンツ」とは異なる伝送経路で行われるような「差分伝送方式」において、「差分情報」の取得がしにくい場合に、これを取得しやすくして、ユーザの利便性を向上させることが課題になっていた。
【課題を解決するための手段】
【００１８】
実施形態の電子機器は、第２の経路で送信された、第１解像度の映像コンテンツを取得する映像コンテンツ取得部を備える。
【００１９】
また、第１の経路で送信された、前記第１解像度より高画質である第２解像度の映像を生成するための差分情報を取得する差分情報取得部を備える。
【００２０】
また、前記第１の経路で送信された差分情報を取得しにくい場合に、他の経路に切り替えて取得する切り替え取得部と、を備える。
【図面の簡単な説明】
【００２１】
【図１】実施形態に係る電子機器の外観を示す外観図。
【図２】実施形態に係る電子機器が受信する「差分情報」を放送で伝送する放送局側の構成の一例を示すブロック図。
【図３】実施形態に係る電子機器の構成の一例を示すブロック図。
【図４】実施形態に係る電子機器の動作を説明するフローチャート。
【図５】実施形態に係る電子機器における差分情報の補間動作を示す図。
【図６】実施形態に係る電子機器の表示部に表示出力される設定メニューを示す図。
【発明を実施するための形態】
【００２２】
以下、図面を参照し、実施の形態を説明する。
【００２３】
図１は、実施形態に係る電子機器の外観を示す外観図である。
【００２４】
ここでは、電子機器１の一例として、テレビ等の映像表示装置を用いて説明を行うが、電子機器１はテレビに限定されることはなく、録画装置やパーソナルコンピュータ（ＰＣ）、スマートフォン等にも適用可能である。
【００２５】
電子機器１は、例えば、ユーザによってリモコン（リモートコントローラ）２から操作される。このリモコン２から出力されたリモコン信号が電子機器１の操作受信部３で受信される。
【００２６】
リモコン信号を受信した電子機器１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００２７】
また、この電子機器１は、例えば、ＵＳＢ端子等で外付けされる外部記憶機器（ＨＤＤ等、図示せず）を備えている。そして、映像表示装置１で受信された放送を、例えば、映像表示装置１内部の内部記憶装置（図示せず）やこの外部記憶機器に録画することが可能である。
【００２８】
また、この実施形態においては、後述するように、放送局から、「高画質映像」を生成するための「差分情報」が放送によって伝送され、電子機器１で受信される、差分伝送方式が用いられる。
【００２９】
差分伝送方式は、例えば、第１の映像（第１解像度の映像（例えば、「２ｋ１ｋ」））と、映像差分データ（第１の映像より解像度が高い第２の映像（第２解像度の映像（例えば、「４ｋ２ｋ」）と第１の映像との差分情報）を用い、「高画質映像」である第２の映像（第２解像度の映像、例えば、「４ｋ２ｋ」映像）を表示出力する方式である。
【００３０】
そして、この実施形態の電子機器は、第１の映像（例えば、「２ｋ１ｋ」映像）と、第１の映像より解像度が高い第２の映像（例えば、「４ｋ２ｋ」映像）と第１の映像との差分映像データを用いて第２の映像を出力する。
【００３１】
図２は、実施形態に係る電子機器が受信する「差分情報」を放送で伝送する放送局側の構成の一例を示すブロック図である。
【００３２】
放送局２０側は、電子機器１側で、高画質映像（第２の映像（例えば、４ｋ２ｋ映像等））を生成するための、第１の映像（第１解像度の映像（例えば、ＨＤ（２ｋ１ｋ））映像等）を、放送によって送信（伝送）する。
【００３３】
また、放送局２０側は、第１の映像と組合せ、高画質映像（第２の映像（例えば、４ｋ２ｋ映像等））を生成するための、「差分情報」を含む放送信号を、放送によって送信（伝送）する。
【００３４】
ここでは、例えば、図２に示すように、高画質映像（第２の映像（４ｋ２ｋ映像等））のソースデータ２１が、分離部２２で、「差分情報（データ）」と主映像データ（第１の映像（第１解像度の映像（ＨＤ（２ｋ１ｋ））映像等））に分離され、それぞれ、差分情報（データ）処理／送信部２３、主映像データ処理／送信部２４に送信される。
【００３５】
差分情報（データ）処理／送信部２３では、第１の経路（例えば、ＢＳ放送等）２５で、「差分情報」を含む放送信号を、送信（伝送）する。
【００３６】
また、主映像データ処理／送信部２４では、第２の経路（例えば、地上波デジタル放送等）２６で、主映像データ（第１の映像（第１解像度の映像（ＨＤ（２ｋ１ｋ））映像等））を含む放送信号を、送信（伝送）する。
【００３７】
なお、この実施形態において、上記放送は、ＢＳ放送や地上波デジタル放送に限られることはなく、ＣＳ放送等の他の放送や、インターネット等の通信に適用することも可能である。
【００３８】
この実施形態においては、「差分情報」を含む放送信号の送信（伝送）と、主映像データ（第１の映像）を含む放送信号の送信（伝送）が異なる経路で行なわれるが、例えば、「差分情報」を含む放送信号の送信（伝送）を地上波デジタル放送で行ったり、主映像データ（第１の映像）を含む放送信号の送信（伝送）をＣＳ放送で行なったりと、適宜変更することが可能である。
【００３９】
図３は、実施形態に係る電子機器の構成の一例を示すブロック図である。
【００４０】
この実施形態の電子機器１においては、例えば、地上波デジタル放送等の、第２の経路で送信された、第１解像度の映像コンテンツを取得する映像コンテンツ取得部（ＨＤ放送受信部３３等）を備えている。
【００４１】
また、例えば、ＢＳ放送等の、第１の経路で送信された、前記第１解像度より高画質である第２解像度の映像を生成するための差分情報を取得する差分情報取得部（ＢＳ伝送差分情報受信部３１等）を備えている。
【００４２】
また、前記第１の経路（例えば、ＢＳ放送等）２５で送信された差分情報を取得しにくい場合に、例えば、ＩＰ伝送等の、他の経路に切り替えて取得する切り替え取得部（ＩＰ伝送差分情報受信部４１、セレクタ部４３等）と、を備えている。
【００４３】
そして、この実施形態の電子機器１は、図３に示すように、例えば、放送局（サーバ）２０から出力され、第１の経路（ＢＳ伝送等）２５で送信された４ｋ２ｋ差分情報を受信するＢＳ伝送差分情報受信部３１、ＢＳ伝送差分情報受信部３１から出力された４ｋ２ｋ差分情報を含む信号を受信し、復調およびデコード処理して出力する復調／デコード部３２を備えている。
【００４４】
また、電子機器１は、例えば、放送局（サーバ）２０から出力され、第３の経路（ＩＰ伝送：インターネット等）２７で配信された４ｋ２ｋ差分情報を取得可能なＩＰ伝送差分情報受信部４１、ＩＰ伝送差分情報受信部４１から出力された４ｋ２ｋ差分情報を含む信号を受信し、デコード処理して出力するデコード部４２を備えている。
【００４５】
また、電子機器１のセレクタ部４３は、第１の経路（ＢＳ伝送等）２５で送信され、上記復調／デコード部３２から出力された信号、および、第３の経路（ＩＰ伝送：インターネット等）２７で配信され上記デコード部４２から出力された信号の両方をセレクト、すなわち、切り替え受信し、出力することが可能である。
【００４６】
また、ＨＤ放送受信部３３は、例えば、放送局（サーバ）２０から出力され、第２の経路（地上波デジタル放送等）２６で送信された、第１解像度の映像である、主映像データ（例えば、ＨＤ映像データまたはＨＤ映像コンテンツ）を受信し、復調／デコード部３４に向けて出力する。
【００４７】
復調／デコード部３４は、ＨＤ放送受信部３３から出力された主映像データ（例えば、ＨＤ映像コンテンツ）の信号を受信し、主映像データ（例えば、ＨＤ映像データまたはＨＤ映像コンテンツ）の復調及びデコード処理を行い、出力する。
【００４８】
この復調及びデコード処理が行われた主映像データ（例えば、ＨＤ映像データまたはＨＤ映像コンテンツ）は、例えば、パネル（表示画面８）への出力処理、もしくは、大容量記憶装置部４１に保存（記憶）される。
【００４９】
また、上記パネル（表示画面８）への出力処理は、４ｋ２ｋ差分情報を持つ（すなわち、４ｋ２ｋ差分情報が関連付けられた）映像コンテンツは、例えば、システム制御部４０の指示に従い、システムメモリ部３９を介しながら、映像処理部３８において、上記ＨＤ映像データと上記切り替え取得された４ｋ２ｋ差分情報を用いて、４ｋ２ｋ映像（第１解像度より高画質である第２解像度の映像）を生成し、パネル出力部４８を介して、パネル（表示画面８）へ表示が行われる。
【００５０】
なお、４ｋ２ｋ差分情報を持たない映像コンテンツを出力する場合は、それぞれのシステムに応じることになり、ここでは説明を省略する。
【００５１】
また、ＧＵＩ処理部３７は、例えば、番組表や録画リスト、番組視聴中の番組情報、その他メニューや音量等のＧＵＩデータの生成を行う。
【００５２】
このＧＵＩデータは、例えば、システム制御部４０からの指示で、ＧＵＩ表示有効フレームになると、システムメモリ部３９を介しながら、パネル出力部４８において、映像データと合成が行われ、パネル（表示画面８）へ表示が行われる。
【００５３】
ここでは、例えば、操作部３６において、視聴者（ユーザ）によって操作される操作機器（リモコン等）２からの入力を受け、システム制御部４０へ操作情報が伝えられる。
【００５４】
図４は、実施形態に係る電子機器の動作を説明するフローチャートである。
【００５５】
ステップＳ１００は、ここでの開始ステップである。続いて、ステップＳ１０１に進む。
【００５６】
ステップＳ１０１は、第１の経路（ＢＳ放送等）２５で、所定番組（映像コンテンツ）の４ｋ２ｋ差分情報を順次受信・取得し、大容量記憶装置部４１に記憶するステップである。続いて、ステップＳ１０２に進む。
【００５７】
ステップＳ１０２は、第１の経路（ＢＳ放送等）２５での４ｋ２ｋ差分情報受信スケジュールまたは、受信・取得状況を確認するステップである。続いて、ステップＳ１０３に進む。
【００５８】
ステップＳ１０３は、第１の経路（ＢＳ放送等）２５で４ｋ２ｋ差分情報を取得しにくいかを検出するステップである。
【００５９】
ここで、４ｋ２ｋ差分情報の取得しにくさを求める方法として、所望番組に対する差分情報の取得率を用いても良い。この方法では、例えば、所望番組に対して、何パーセントの差分情報が取得されているか（取得率）を求め、この取得率が予め決められた値に満たない場合は、４ｋ２ｋ差分情報を取得しにくいと検出する。
【００６０】
差分情報の取得率は、例えば、以下のように求めることが可能である。
【００６１】
電子機器１で受信された差分情報は、放送における転送レートが検出され、また放送の転送フォーマットからもとの形のデータにデコードされる。
【００６２】
そして、例えば、番組時間長と、転送レートと、差分情報の例えば１フレーム当たりの平均ビット数が分かると、当該番組に対して、何パーセントの差分情報が取得されているかが計算可能である。これにより、差分情報の取得状況を把握することが可能である。
【００６３】
第１の経路（ＢＳ放送等）２５で４ｋ２ｋ差分情報を取得しにくいと検出される場合は、ステップＳ１０４に進む（Ｙｅｓ）。第１の経路（ＢＳ放送等）２５で４ｋ２ｋ差分情報を取得しにくいと検出されない場合は、ステップＳ１０１に進み、上記処理を繰り返す（Ｎｏ）。
【００６４】
ステップＳ１０４は、他の経路（ＩＰ伝送等）２７で対応する４ｋ２ｋ差分情報を取得可能であるかを検出するステップである。他の経路（ＩＰ伝送等）２７で対応する４ｋ２ｋ差分情報を取得可能であると検出される場合は、ステップＳ１０５に進む（Ｙｅｓ）。他の経路（ＩＰ伝送等）２７で対応する４ｋ２ｋ差分情報を取得可能ではないと検出される場合は、ステップＳ１０９に進む（Ｎｏ）。
【００６５】
ステップＳ１０５は、４ｋ２ｋ差分情報の取得先を他の経路（例えば、ＩＰ伝送等）２７に切り替えるステップである。続いて、ステップＳ１０６に進む。
【００６６】
ステップＳ１０６は、他の経路（例えば、第３の経路（ＩＰ伝送等））から、所定番組（映像コンテンツ）の４ｋ２ｋ差分情報を取得し、取得しにくかった情報を補間処理するステップである。続いて、ステップＳ１０７に進む。
【００６７】
ステップＳ１０７は、所定番組（第２の経路のＨＤ放送等）の放送が終了したかを検出するステップである。所定番組（第２の経路のＨＤ放送等）の放送が終了したと検出される場合は、ステップＳ１０９に進む（Ｙｅｓ）。所定番組（第２の経路のＨＤ放送等）の放送が終了したと検出されない場合は、ステップＳ１０８に進む（Ｎｏ）。
【００６８】
ステップＳ１０８は、所定番組の４ｋ２ｋ差分情報の取得が完了したかを検出するステップである。所定番組の４ｋ２ｋ差分情報の取得が完了したと検出される場合は、ステップＳ１０９に進む（Ｙｅｓ）。所定番組の４ｋ２ｋ差分情報の取得が完了したと検出されない場合は、ステップＳ１０６に進み、上記処理を繰り返す（Ｎｏ）。
【００６９】
ステップＳ１０９は、終了ステップであり、ここでの処理は終了する。
【００７０】
すなわち、この実施形態において、電子機器１は、例えば、４ｋ２ｋ映像（第２解像度）をＨＤ映像（第１解像度）と差分情報（４ｋ２ｋ差分情報）に分離して、ＨＤ映像は通常の放送波で伝送し、差分情報は参照フレームを必要としない単位に分割されて、例えば、ＢＳ放送の空き時間を用いて、予め伝送される４ｋ２ｋ放送システムに適応することが可能である。
【００７１】
そして、電子機器１は、差分情報の取得が、例えば、所望映像コンテンツ放送までの受信スケジュールに間に合わない場合に、差分情報を補間するために、差分情報の受信を第１の経路（ＢＳ伝送）２５から第３の経路（ＩＰ伝送）２７に切り替えて、第１の経路（ＢＳ伝送）２５からの取得で不足する差分情報を取得することが可能である。
【００７２】
また、この実施形態においては、電子機器１には、例えば、ＩＰ接続が行われている。そして、視聴者（ユーザ）からのＧＵＩ操作によってＩＰ伝送による差分情報の補間が許可されている場合は、差分情報の受信を、例えば、第３の経路（ＩＰ伝送）２７に切り替えることが可能である。
【００７３】
このように構成することで、例えば、第１の経路（ＢＳ伝送）２５での差分情報の取得が、番組放送までの受信スケジュールに間に合わない場合に、例えば、差分情報の取得が完了もしくは番組放送が終了するまでの間に、第３の経路（ＩＰ伝送）２７による差分情報の補間処理を行うことが可能になる。
【００７４】
図５は、実施形態に係る電子機器における差分情報の補間動作を示す図である。
【００７５】
ここでは、説明を簡単にするため、一例として、４ｋ２ｋ差分情報を５つに分割した例を用いて説明を行うが、この差分情報の分割数は、適宜変更することが可能である。
【００７６】
５つに分割された４ｋ２ｋ差分情報は、それぞれ、例えば、ＭＰＥＧ−２やＨ.２６４（ＭＰＥＧ−４ ＡＶＣ）等の参照フレームを必要としない単位で区切られている。
【００７７】
また、４ｋ２ｋ差分情報は、例えば、ＢＳ放送の空き時間を用いて、予めＢＳ放送で配信され、配信される順番は逆方向とし、先頭の１番を最終伝送とする。
【００７８】
そして、ここでは、４番と５番は、事前に行われたＢＳ伝送での配信では取得することができなく、上記のように、ＩＰ伝送から、放送中に４番と５番の４ｋ２ｋ差分情報の取得を行う。
【００７９】
図６は、実施形態に係る電子機器の表示部に表示出力される設定メニューを示す図である。
【００８０】
図６に示すように、視聴者（ユーザ）は、例えば、操作機器２を使用し、例えば、第1の経路（ＢＳ伝送等）２５で、所定番組の４ｋ２ｋ差分情報の取得がしにくい場合に、他の経路（例えば、ＩＰ伝送）による４ｋ２ｋ差分伝送の取得および補間することを許可・設定することが可能である。
【００８１】
この「設定メニュー」６０は、例えば、視聴者（ユーザ）に操作された操作機器（リモコン等）２の指示によって、電子機器１の表示パネル（表示画面８）に、「他の経路（ＩＰ伝送）による４ｋ２ｋ差分伝送の補間を許可・設定しますか？」と表示出力される。
【００８２】
視聴者（ユーザ）は、例えば、この「設定メニュー」６０を見ながら、操作機器（リモコン等）２を操作する。
【００８３】
ここでは、視聴者（ユーザ）によって、「する」６１が指定されている。
【００８４】
このように、この実施形態の電子機器１においては、視聴者（ユーザ）は、操作機器（リモコン等）２を用い、第１の経路（ＢＳ伝送等）２５の他の経路（第３の経路（ＩＰ伝送等）による４ｋ２ｋ差分情報の補間を行うか、行わないかを設定することが可能である。
【００８５】
そして、この実施形態においては、例えば、ＢＳ放送の空き時間を用いて４ｋ２ｋ差分情報の配信が開始されると、ＢＳ伝送差分情報受信部３１と復調／デコード部３２を経由して、順次、４ｋ２ｋ差分情報の取得が行われる。
【００８６】
ここで、この実施形態においては、図５に示すように、４ｋ２ｋ差分情報は参照フレームを必要としない単位に分割（例えばＧＯＰ（Ｇｒｏｕｐ ｏｆ Ｐｉｃｔｕｒｅｓ）単位、もしくは複数のＧＯＰで形成）して、先頭の４ｋ２ｋ差分情報を最終伝送となるように順序の入れ替えもしくは逆方向順から、ＢＳ放送にて配信されることが望ましい。
【００８７】
そして、電子機器１は、分割された４ｋ２ｋ差分情報を受信すると、４ｋ２ｋ差分情報の受信スケジュールまたは受信状況の確認等を行い、ＢＳ伝送での４ｋ２ｋ差分情報を、さらに受信可能であると判断した場合は、続けて取得を行う。
【００８８】
例えば、全ての４ｋ２ｋ差分情報が取得できた場合は、上記４ｋ２ｋ差分情報の取得切り替え処理は省略することが可能である。
【００８９】
また、上記受信スケジュール等から、所望の番組放送までに４ｋ２ｋ差分情報が取得しにくいと検出された場合は、第１の経路（ＢＳ伝送等）による４ｋ２ｋ差分情報の受信に代え、他の経路での４ｋ２ｋ差分情報の取得切り替えが可能かを検出する。
【００９０】
ここで、この切り替え条件は、例えば、電子機器（４ｋ２ｋ映像視聴装置）１は、ＩＰ接続が行われていること、視聴者（ユーザ）からのＧＵＩ操作によって、ＩＰ伝送による差分情報の補間が許可されていること（図６）としても良い。
【００９１】
例えば、この条件が成立すると、セレクタ部４３にて、４ｋ２ｋ差分情報の取得を第３の経路（ＩＰ伝送）に切り替えを行う。
【００９２】
この条件が成立しない場合は、処理は完了する。この場合、全ての４ｋ２ｋ差分情報を取得できているわけではないが、映像をどのように出力するかは個々のシステムに応じるため、ここでは説明を省略する。
【００９３】
そして、第３の経路（ＩＰ伝送）の４ｋ２ｋ差分情報はＩＰ伝送差分情報受信部４１で、ＩＰ通信を行い、デコード部４２を経由して、４ｋ２ｋ差分情報の取得を順次行う。
【００９４】
また、番組の放送が終了もしくは４ｋ２ｋ差分情報の取得が完了すると処理は完了する。
【００９５】
すなわち、この実施形態においては、例えば、所望の番組の放送中に、既に取得している４ｋ２ｋ差分情報を用いて４ｋ２ｋ映像を出力している裏で、足りない４ｋ２ｋ差分情報を補間するためにＩＰ伝送から取得を行うことが可能である。
【００９６】
なお、上記説明では、４ｋ２ｋ差分情報の送信または配信を、第1の経路（ＢＳ伝送等）２５および、第３の経路（ＩＰ伝送：インターネット等）２７で行い、主映像データ（第１の映像（第１解像度の映像（ＨＤ（２ｋ１ｋ））映像等））を含む放送信号を、第２の経路（例えば、地上波デジタル放送等）２６で送信（伝送）する例を用いて説明を行ったが、この実施形態においては、これらの例に限られることはなく、第１の経路で送信された差分情報を取得しにくい場合に、他の経路に切り替えて取得するようにすれば良い。
【００９７】
すなわち、この実施形態においては、電子機器１は、例えば、地上波デジタル放送等の、第２の経路２６で送信された、第１解像度の映像コンテンツを取得する映像コンテンツ取得部（ＨＤ放送受信部３３等）を備えている。
【００９８】
また、例えば、ＢＳ放送等の、第１の経路２５で送信された、前記第１解像度より高画質である第２解像度の映像を生成するための差分情報を取得する差分情報取得部（ＢＳ伝送差分情報受信部３１等）を備えている。
【００９９】
また、前記第１の経路（例えば、ＢＳ放送等）２５で送信された差分情報を取得しにくい場合に、例えば、ＩＰ伝送等の、他の経路に切り替えて取得する切り替え取得部（ＩＰ伝送差分情報受信部４１、セレクタ部４３等）と、を備えている。
【０１００】
また、前記他の経路に切り替えて取得される差分情報は、前記第１の経路２５で取得しにくい差分情報を補間することが可能である。
【０１０１】
また、前記他の経路への切り替えが可能であることが検出された場合に、前記差分情報の取得を前記他の経路に切り替えることが可能である。
【０１０２】
また、前記他の経路はＩＰ伝送を含んでも良い。
【０１０３】
また、前記第２の経路２６で送信される映像コンテンツの送信が終了している場合に、前記差分情報の取得処理を終了するようにしても良い。
【０１０４】
また、前記差分情報の取得処理が終了しない場合は、前記他の経路からの差分情報取得処理を継続するようにしても良い。
【０１０５】
また、他の実施形態として、例えば、前記第１の経路２５で送信された差分情報を取得しにくい場合に、他の経路（ＩＰ伝送等）２７に切り替える際の切り替え条件を、ＩＰ接続が行われていることにしても良い。
【０１０６】
また、他の経路（ＩＰ伝送等）２７への切り替えが行われた場合に、他の経路（ＩＰ伝送等）２７への切り替えた旨を、例えばパネル（表示画面）８に表示し、視聴者（ユーザ）に対して通知するようにしても良い。
【０１０７】
これにより、この実施形態においては、例えば、４ｋ２ｋ差分情報取得を、主に、第１の経路（ＢＳ伝送等）２６から行い、第１の経路（ＢＳ伝送等）２６から取得しにくい場合に、他の経路（ＩＰ伝送等）から取得し、取得できなかった部分の補間を行うことで、４ｋ２ｋ映像（第２の解像度の高画質映像）を、なるべく、途切れないよう表示することが可能になる。
【０１０８】
また、この実施形態においては、例えば、他の経路（ＩＰ伝送等）２７から取得される４ｋ２ｋ差分情報の量が制限される。
【０１０９】
このため、ネットワーク上に大量の４ｋ２ｋ差分情報が配信されることを防止することが可能になる。
【０１１０】
このため、例えば、ＩＰ伝送の帯域を軽減することが可能になり、４ｋ２ｋ差分情報の取得を、効率的に行うことが可能になる。
【０１１１】
上記のように構成することによって、この実施形態においては、「差分情報」の配信が「映像コンテンツ」とは異なる伝送経路で行われるような「差分伝送方式」において、「差分情報」の取得がしにくい場合に、これを取得しやすくして、ユーザの利便性を向上させることが可能になる。
【０１１２】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１３】
なお、上記実施形態は、記述そのものに限定されるものではなく、実施段階では、その趣旨を逸脱しない範囲で、構成要素を種々変形して具体化することが可能である。
【０１１４】
また、上記実施形態に開示されている複数の構成要素の適宜な組み合せにより種々の発明を形成できる。
【０１１５】
例えば、実施形態に示される全構成要素から幾つかの構成要素を削除してもよい。更に、異なる実施形態に亘る構成要素を適宜組み合せてもよい。
【符号の説明】
【０１１６】
１…電子機器、２…操作機器、２０…放送局（サーバ）、２５…第１の経路（ＢＳ放送等）、２６…第２の経路（地上波デジタル放送等）、２７…第３の経路（ＩＰ伝送、インターネット等）、３１…ＢＳ伝送差分情報受信部、３２…復調／デコード部、３３…ＨＤ放送受信部、３４…復調／デコード部、３６…操作部、３７…ＧＵＩ処理部、３８…映像処理部、３９…システムメモリ部、４０…システム制御部、４１…大容量記憶装置部、４８…パネル出力部。
【図１】
2014160933.tif 000003
【図２】
2014160933.tif 000004
【図３】
2014160933.tif 000005
【図４】
2014160933.tif 000006
【図５】
2014160933.tif 000007
【図６】
2014160933.tif 000008